(57)【要約】【課題】浴槽内の湯の余熱を効率的に浴槽放熱装置で放熱させ、浴室を効率的に乾燥させることを目的とする。【解決手段】吸引手段６と浴槽１５の湯１６に接触可能な吸入経路４と放熱手段７と浴槽１５との密閉手段とを備え、前記吸引手段６により浴槽内の湯１６を前記吸引経路４を通して吸引し、前記放熱手段７へ通水することにより、浴槽内の湯の余熱を浴槽放熱装置を介して浴室内に放熱し、浴室内を素早く乾燥させることができる。【選択図】図１
2006061360.tif 000002
【特許請求の範囲】
【請求項１】
吸引手段と浴槽の湯に接触可能な吸入経路と放熱手段と浴槽との密閉手段とを備え、前記吸引手段により浴槽内の湯を前記吸引経路を通して吸引し、前記放熱手段へ通水する構成の浴槽放熱装置。
【請求項２】
前記放熱手段が風呂蓋と一体に構成されたことを特徴とする請求項１に記載の浴槽放熱装置。
【請求項３】
前記放熱手段を通過後の排出経路が再び浴槽内の湯に連通することを特徴とする請求項１または２に記載の浴槽放熱装置。
【請求項４】
前記排出経路の排出口位置が、前記吸入経路の吸入口位置よりも、低い位置にあることを特徴とする請求項３に記載の浴槽放熱装置。
【請求項５】
前記放熱手段を通過後の排出経路が浴室内の排水溝に連通することを特徴とする請求項１または２に記載の浴槽放熱装置。
【請求項６】
浴室に吸気手段と、換気手段と、請求項１〜５のいずれか１項に記載の浴槽放熱装置を設置した浴室乾燥システム。
【発明の詳細な説明】
【技術分野】
【０００１】
本発明は浴槽に貯留した湯の余熱を利用して浴室を乾燥させる浴槽放熱装置に関するものである。
【背景技術】
【０００２】
従来、この種の浴槽に貯留した湯の熱を利用する浴槽放熱装置は、断熱材料と蓄熱材料からなる板状の蓋を、蓄熱材料を下にして浴槽の開口部に載置し、浴槽の熱を蓄熱材料に蓄熱した後、蓋を反転して蓄熱材料を上にした状態で浴室の洗い場上に敷き床暖房機能を備えた浴室マットとして使用している（例えば、特許文献１参照）。
【０００３】
図７は、前記公報に記載された従来の浴槽放熱装置を示すものである。図７において、浴槽１の上面に載置した蓋２は上部が断熱材２ａで下部が蓄熱材２ｂの２層構造となっており、反転して洗い場３上に敷き浴室マットとしても使用できる構成である。
【特許文献１】特開昭５９−５７６２３号公報
【発明の開示】
【発明が解決しようとする課題】
【０００４】
しかしながら、前記従来の構成では、蓄熱材料に蓄熱し床暖房機能として使用する熱は、本来浴槽内の湯として有効に使用される熱であり、床暖房を有効にするためには浴槽の湯に余分な熱エネルギーを供給する必要があり、トータルとして熱エネルギーを無駄にしているという課題を有していた。
【０００５】
本発明は、前記従来の課題を解決するもので、浴槽に貯留した入浴後の湯の余熱を浴槽放熱装置を介して周囲に放熱することで、浴室全体、特に浴槽放熱装置の放熱部の周囲の壁表面及び天井表面を素早く乾燥させる浴槽放熱装置を提供することを目的とする。
【課題を解決するための手段】
【０００６】
前記従来の課題を解決するために、本発明の浴槽放熱装置は浴槽の上縁部に載置し、浴槽の開口部を閉塞する浴槽放熱装置の一部から、浴槽に貯留した湯に接触可能な吸入経路を設ける構成とし、吸引手段によって湯を放熱手段内に通水し、放熱手段の上面より放熱可能としたものである。
【０００７】
これによって、浴槽内の湯の熱を浴槽放熱装置を介して浴室内に放熱することができ、浴室内を素早く乾燥させることができる。
【発明の効果】
【０００８】
本発明の浴槽放熱装置は、浴槽に貯留した湯の余熱を浴室の乾燥に有効に活用することができる。
【発明を実施するための最良の形態】
【０００９】
第１の発明は浴槽の上縁部に載置し、浴槽の開口部を閉塞する浴槽放熱装置の一部が、浴槽に貯留した湯に接触可能な吸入経路を設ける構成とし、吸引手段によって湯を放熱手段内に通水し、放熱手段の上面より放熱することとなり、また浴槽開口部を閉塞することにより蒸気の漏れもなく、浴槽放熱装置上面に乾燥した空気を発生させ、浴室内部全体を素早くそして効率的に乾燥させることができる。
【００１０】
第２の発明は、特に、第１の発明の浴槽放熱装置が風呂蓋と一体に構成することで、吸引手段の停止時には風呂蓋による断熱性により浴槽の湯の保温効果を高め冷めなくし、また吸引手段の動作時には湯を放熱手段内に通水し、放熱手段の上面より放熱することとなり、効果的に浴槽の湯の断熱および放熱を切り替えることで、浴槽の湯の保温効果と、放熱による浴室の乾燥効果との選択をすることができる。
【００１１】
第３の発明は、特に、第１または第２の発明の放熱手段を通過後の排出経路が再び浴槽内の湯に連通する構成とすることで、吸引手段により浴槽放熱装置の配管経路内の空気をなくし、湯で充満させることにより、吸引手段停止後も浴槽放熱装置内に湯が残り、放熱手段の上面より放熱を継続させることができる。これにより吸引手段運転時のエネルギーを削減することができ、短時間の運転による小コストで放熱手段に湯を貯水させ効果的に放熱を持続させ、浴槽放熱装置上面に乾燥した空気を発生させ、浴室内部全体を素早く乾燥させることができる。
【００１２】
第４の発明は、特に、第３の発明の排出経路の排出口高さが、前記吸入経路の吸入口高さよりも、低い位置にあることを特徴とする構成とすることで、温かい湯は上方に向かう性質を利用し、常に吸引口から温かい湯を吸引し放熱手段を通り排出口から排出する循環経路が形成されることとなり、吸引手段を停止後も効率的に浴槽放熱装置内に温かい湯を継続して通水しつづけるため、低コストで効果的に浴槽放熱装置上面に乾燥した空気を発生させ、浴室内部全体を素早く乾燥させることができる。
【００１３】
第５の発明は、特に、第１または第２の発明の放熱手段を通過後の排出経路が浴室内の排水口に連通する構成とすることで、浴槽放熱と排水とを同時に行うことができ、浴槽放熱装置上面に乾燥した空気を発生させ、浴室内部全体を素早く乾燥させると同時に浴槽内の湯は排水されることとなり、排水の手間が省ける。
【００１４】
第６の発明は、特に第１〜５のいずれか１つの発明の浴槽放熱装置を、吸気手段と換気手段とを備えた浴室に設置して使用することにより、入浴後に浴槽放熱装置から放熱された熱が周囲に乾燥した空気を発生させ、空気の流れに沿って浴室全体に伝わるとなり、吸気手段と換気手段により浴室内部全体に空気の流れを作り、浴室全体を素早くしかも効率良く乾燥させることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における浴槽放熱装置を浴槽に載置した状態での浴室全体における断面図を示すものであり、図２は上面から見た浴槽放熱装置の断面図を示すものである。
【００１７】
図１に示すように、吸入経路４および排出経路５は樹脂製の硬質材料もしくはゴム製の軟質材料もしくはフレキシブル金属材料でできた管状のパイプ形状であり、吸入経路４の吸込み口先端には電池と電池で駆動する吸引ポンプからなる吸引手段６を装着している。吸入経路４および排出経路５は浴槽上面に載置した放熱手段７にそれぞれ接続してあり、放熱手段７は発泡ウレタン等の空気層を含んだ断熱性のある樹脂でできた下面部７ａと、アルミ等の熱伝導性の良い金属でできた上面部７ｂからなる中空形状に形成してある。
【００１８】
上記構成の浴槽放熱装置８を、天井９に換気手段１０と、出入り口の扉１１に形成されたガラリからなる吸気手段１２を備えた浴室１３の床１４に設置した浴槽１５の上縁部１５ａに載置してあり、浴槽１５の開口部１５ｂは閉塞した状態であり、吸引手段６は浴槽１５内の湯１６に潜入している。
【００１９】
以上のように構成された浴槽放熱装置について、以下その動作、作用を説明する。
【００２０】
まず浴槽１５の湯１６を吸引手段６によって吸引し、吸入経路４を通り放熱手段７内に供給し、供給した湯の熱が上面部７ａを温め、放熱手段７の上面より浴室１３内に放熱し、乾燥した空気を発生させる。
【００２１】
放熱手段を通過した湯は排出経路５により再び浴槽１５内に戻る。
【００２２】
以上のように本実施の形態においては放熱手段７の放熱性のある上面部７ｂに発生した乾燥空気が浴室１３内に拡散し、湿気を吸収して換気手段１０から排気されることで浴室内を素早くそして効率的に乾燥させることとなり、浴室内のカビの発生を妨げることが出来る。
【００２３】
また吸引手段６であるポンプを運転しない場合は、放熱手段７に湯が供給されず、放熱手段７の断熱性のある下面側７ａにより浴槽１５の浴槽開口部１５ａを閉塞し、保温効果がある。つまり入浴前や入浴休止中の保温性を必要とするときに適する。
【００２４】
なお、放熱手段７と浴槽１５の上縁部１５ｂとの接触部は、密着性の良い材料、例えば発泡ゴムを貼りつけることで、蒸気の漏れを完全に遮断することができる。
【００２５】
図３は放熱手段の別の形態の断面図を示すものである。
【００２６】
図３に示す放熱手段１７は熱伝導性のよい樹脂あるいは金属のパイプからなる放熱管１８をジグザグ状に配設し、両端を吸入経路４と排出経路５に接続した構成である。本構成の放熱手段の場合、吸入経路４から排出経路５まで放熱管１８が直列的に接続しているため、放熱手段内に湯が滞留することなく常に浴槽内の高温の湯と循環するため、効率的に放熱することができる。
【００２７】
図４は放熱手段の別の形態の上面図およびＡ−Ａ断面図を示すものである。
図４に示す放熱手段１９は発砲ウレタン等の空気層を含んだ断熱性のある樹脂でできた蓋２０の上面に放熱管２１が載置固定され、両端を吸入経路４と排出経路５に接続した構成である。本構成の放熱手段の場合、放熱管２１の表面すべてが直接空気と接触しているため、より効率的に放熱管内の湯の熱が空気中に放熱することができる。
【００２８】
また、入浴後の余熱を利用して浴室の乾燥のみを目的とする浴槽放熱装置とする場合には、放熱手段の上面側も下面側も同様の熱伝導性の良い金属製にすることで、さらに効率的に浴槽内の湯の熱を放熱しやすくなり、素早く乾燥した空気を発生させることができる。
【００２９】
なお放熱手段７は中空成形状の樹脂であってもよく、中空成形経路内を湯が通水する構成であってもよい。また放熱手段７上面にアルミ等の金属製のフィン形状を設けた構成であってもよい。
【００３０】
なお吸引手段６の装着位置は吸入経路の吸込み口先端に限らず、吸入経路と放熱手段との接続部でもよく、また放熱手段に湯を通水できさえすれば、放熱手段内の配管経路の途中、もしくは排出経路上の途中に接続された構造であってもよい。
【００３１】
また、従来の風呂蓋の上面に浴槽放熱装置を載置する構成であってもよく、その場合、放熱手段は放熱機能にのみ集中した構成でよく、剛性機能および浴槽との密着性は風呂蓋によって満足させることができるのでより安価に設計することも可能であり、汎用性が広がる。
【００３２】
また放熱手段の構成を、洗い場上面に敷き浴室マットとして使用できるようにすることで、入浴中の足裏温熱装置としても兼用することができる。
【００３３】
また、本実施の形態において、吸引手段は電池を電源としたポンプとしたが、これに限るものではなく、他のＤＣ電源あるいはＡＣ電源で駆動するものでもよい。
【００３４】
（実施の形態２）
図５は、本発明の第２の実施の形態における浴槽放熱装置を浴槽に載置した状態での浴室全体における断面図を示すものである。
【００３５】
前記実施の形態１と異なる点は、吸入経路２２の吸入口２２ａと排出経路２３の排出口２３ａをともに湯１６中に潜入し、排出経路２３の排出口２３ａを吸入経路２２の吸入口２２ａよりも低い位置にあることを特徴とする構成となっている。
【００３６】
なお、実施の形態１と同一符号のものは同一の構造を有し、説明は省略する。
【００３７】
以上のように構成された浴室放熱装置について、以下その動作、作用を説明する。
【００３８】
まず浴槽１５の湯１６が吸引手段６によって吸引され、吸入経路２２を通り放熱手段７内に通水され、上面部７ｂに伝導し、温められ、放熱手段７の上面より浴室内に放熱し、乾燥した空気を発生させる。放熱手段７を通過した湯は排出経路２３により再び浴槽１５内に戻される。
【００３９】
このように構成することによって、放熱手段内に湯が通水され、吸引手段運転前に存在していた給水経路、排出経路、放熱手段内のすべての空気が排出されることで、給水経路、排出経路、放熱手段内の配管経路内が浴槽の湯によって充満することとなる。
【００４０】
この状態で吸引手段の運転を停止さえたとしても、湯は経路内に留まり続ける。そして温かい湯は常に上方に向かう性質により、配管経路内の湯の自然循環が行われる。すなわち放熱手段を通して冷やされた湯は下方に向かい、吸引手段６よりも低位置の排出経路より排出され、また温かい湯が上方に向かうことにより、高位置の給水経路から放熱手段内の配管経路に温かい湯が満たされ、自然循環が行われる。
【００４１】
以上のように、本実施の形態においては排出経路２３の排出口２３ａを吸入経路２２の吸入口２２ａよりも低い位置にあることを特徴とする構成により、吸引手段の運転を停止しても湯の自然循環がおこり、放熱手段から乾燥した空気を連続して発生させることができる。つまりポンプ運転時のランニングコストを低減させつつ、浴室内部全体を素早くそして効果的に乾燥させることとなり、浴室内のカビの発生を妨げることができる。
【００４２】
また、放熱手段７の一部もしくは全体が透過性の樹脂またはガラスで作り、浴槽１５に載置した状態で湯の循環が目視確認できることが望ましい。
【００４３】
なおこの実施の形態の場合、配管経路内のすべての空気を排出させ、湯で充満させることにより自然循環を得られるため、吸引手段の運転時間は短くても良く、吸引手段として手動ポンプを用いることも考えられる。その場合、灯油ポンプのような手動で湯を吸引する構造としてもよい。
【００４４】
（実施の形態３）
図６は、本発明の第３の実施の形態における浴槽放熱装置を浴槽に載置した状態での浴室全体における断面図を示すものである。
【００４５】
図６に示すように、吸入経路２４を長くし、吸引手段６を浴槽１５の底面に接触して設置し、また排出経路２２は浴室１３に備えられた排水口２３に直接接続した構成となっている。
【００４６】
なお、実施の形態１と同一符号のものは同一の構造を有し、説明は省略する。
【００４７】
以上のように構成された浴室放熱装置について、以下その動作、作用を説明する。
【００４８】
まず浴槽１５の湯１６を吸引手段６によって吸引し、吸入経路２４を通り放熱手段７に通水し、上面部７ｂに伝導し、温められ、放熱手段７の上面より浴室内に放熱し、乾燥した空気を発生させる。放熱手段７を通過した湯は排出経路２５より浴室１３の排水溝２６より排水される。
【００４９】
このように構成することによって、放熱手段にて放熱することにより冷めた水が浴槽内に戻ることなく、排水溝に排水される。
【００５０】
また、吸引手段は浴槽の底面に位置するため、浴槽内の湯を完全に排出することとなり、浴室の放熱による乾燥と浴槽内の排水とが同時に行われる。
【００５１】
なお、放熱手段を通過した湯は直接排水されるため、放熱手段により効果的に十分放熱させる様、配管経路を細くして湯の流れを遅くする構成としたり、吸引手段であるポンプの給水速度を遅くする構成としてもよい。
【００５２】
なお、排水口との接続は湯の蒸気が漏れることなく排水できるよう、排出口に密閉性の高いゴムを代表とする材質をフランジ面とし排水口と密閉したり、もしくは排出経路を排水口の奥まで挿入する構成としてもよい。
【００５３】
以上のように、本実施の形態においては吸引手段を浴槽の底面にまで位置させ、排出経路を浴室の排水口に連通することにより、放熱手段にて湯の熱を効率的に放熱する動作と浴槽の湯の排水動作とを同時に実現させることができ、排水の手間が省けると同時に浴室内部全体を素早くそして効果的に乾燥させることとなり、浴室内のカビの発生を妨げることができる。
【産業上の利用可能性】
【００５４】
以上のように、本発明にかかる浴槽放熱装置は、浴槽内の湯の余熱を有効に活用することが可能となるので、洗面空間、台所空間等、湯を使用する場所の乾燥や暖房の用途にも適用できる。
【図面の簡単な説明】
【００５５】
【図１】本発明の実施の形態１における浴槽放熱装置を浴室に設置した状態の断面図
【図２】本発明の実施の形態１における浴槽放熱装置の放熱手段の断面図
【図３】本発明の実施の形態１における浴槽放熱装置の放熱手段の別の形態の断面図
【図４】（ａ）本発明の実施の形態１における浴槽放熱装置の放熱手段の別の形態の平面図（ｂ）同別の形態のＡＡ断面図
【図５】本発明の実施の形態２における浴槽放熱装置を浴室に設置した状態の断面図
【図６】本発明の実施の形態３における浴槽放熱装置を浴室に設置した状態の断面図
【図７】従来の浴槽放熱装置の断面図
【符号の説明】
【００５６】
４、２２、２４  吸入経路
４ａ、２２ａ  吸入口
５、２３、２５  排出経路
５ａ、２３ａ  排出口
６  吸引手段
７、１７、１９  放熱手段
８  浴槽放熱装置
１０  換気手段
１２  吸気手段
１３  浴室  
１５  浴槽
１６  湯
２６  排水溝
【図１】
2006061360.tif 000003
【図２】
2006061360.tif 000004
【図３】
2006061360.tif 000005
【図４】
2006061360.tif 000006
【図５】
2006061360.tif 000007
【図６】
2006061360.tif 000008
【図７】
2006061360.tif 000009